(57)【要約】【課題】  本発明は、例えば自動車のエンジンに併設されて、エンジン内のブローバイガス中のオイル・ミストを捕集するオイル・ミスト捕集装置において、オイル・ミストの焼付きを防止することを目的としている。【解決手段】オイル・ミスト捕集装置を全体筒状形状とし、かつ筒状の放電室を複数個並設させ放電を生じさせオイル・ミストを捕集するが、その際に捕集極の内壁にオイル・ミストの焼付き部が発生することを防止する焼付き部発生防止手段をもうける。当該焼付き部発生防止手段の一例として捕集極を震動させる手段をもうける。【選択図】        図４
2005103357.tif 000002
【特許請求の範囲】
【請求項１】
エンジンのクランク・ケース内のブローバイガスを導入するブローバイガス導入管と、エンジンの吸気管に連結される連結管と、エンジンのクランク・ケースに連結されるオイル・ドレイン管とをそなえ、
前記ブローバイガス導入管を介して導入されたブローバイガスに含まれるオイル・ミストを捕集してオイルを分離し、当該分離したオイルを前記エンジンのクランク・ケースに返却するオイル・ミスト捕集装置であって、
複数個配置された筒状放電室群と、
複数個配置されている前記筒状放電室の夫々に対応して存在する捕集極と、
当該夫々の筒状放電室の中心軸位置に配置される放電電極と、
前記各捕集極と各放電電極とに対して高電圧を印加する電源部と、
をそなえ、前記筒状放電室群内において放電を生じさせ、ブローバイガスに含まれるオイル・ミストを捕集極に付着させるオイル・ミスト捕集装置において、
前記放電電極と前記捕集極とが対向する当該捕集極の内壁に、捕集された前記オイル・ミストが局部的に発生する盛り上がり焼付き部の発生を防止する盛り上がり焼付き部発生防止手段を有する
ことを特徴とするオイル・ミスト捕集装置。
【請求項２】
前記焼付き部発生防止手段は、前記捕集極の上端部および／または下端部に調振材を取り付けて、当該捕集極が前記筒状放電室に保持されて構成されることを特徴とするオイル・ミスト捕集装置。
【請求項３】
前記焼付き部発生防止手段は、前記電極間隔の中間部に、円筒状の多孔質絶縁体を介在させて構成されることを特徴とする請求項１または２記載のオイル・ミスト捕集装置。
【請求項４】
前記焼付き部発生防止手段は、前記最短距離近傍における捕集極の内壁に、捕集されたオイル・ミストの被着を防止するコーティングをほどこして構成されることを特徴とする請求項１ないし３記載のいずれか１つのオイル・ミスト捕集装置。
【請求項５】
前記焼付き部発生防止手段は、オイル・ミストに帯電させるための前記放電電極と前記捕集極とが対向する部分と、帯電されたオイル・ミストを捕集する前記捕集極の部分とで前記筒状放電室を構成することを特徴とする請求項１ないし４記載のいずれか１つのオイル・ミスト捕集装置。
【請求項６】
前記焼付き部発生防止手段は、前記オイル・ミスト捕集装置全体を、前記エンジンの外壁に、調振材を介在させて取り付けることによって構成されることを特徴とする請求項１ないし５記載のいずれか１つのオイル・ミスト捕集装置。
【発明の詳細な説明】
【技術分野】
【０００１】
本発明は、エンジンのクランク・ケース内においてブローバイガス中にオイル・ミストとして飛散しているエンジン・オイルを捕集するオイル・ミスト捕集装置に関する。
【背景技術】
【０００２】
図１６は、従来からエンジンに対して、オイル・ミスト捕集装置が配置される配置関係を説明する説明図である。
【０００３】
図中の符号１はエンジン、２はシリンダ、３はクランク・ケース、４はピストン、５はクランク軸、６は吸気管、７は吸気弁、８は排気管、９は排気弁を表している。そして、１０は本発明の対象となる如きオイル・ミスト捕集装置（ブリーザ）、１１はブローバイガス導入管、１２はエンジンの吸気管に連結される連結管、１３はオイル・ドレイン管を表している。
【０００４】
なお、エンジン・オイルはクランク・ケースの底部に存在しており、ブローバイガスはクランク・ケースの上部から中部にかけての空間内に存在しているオイル・ミストを含んでいる。
【０００５】
エンジン１のシリンダ２内でピストン４が往復動せしめられ、ピストン４と連結されるクランク軸５が回転駆動される。クランク・ケース３内にはエンジン・オイルが存在するが、クランク軸５が回転することなどに伴ってブローバイガス中にオイル・ミストが飛散する。
【０００６】
従来から、ブローバイガス中のオイル・ミストを捕集することが行われていて、オイル・ミスト捕集装置（ブリーザ）１０が図１６に示す例の如く、もうけられている。
【０００７】
この種のオイル・ミスト捕集装置に関して、本願出願人は、先に平成１５年６月１０日付けで、ブローバイガス中に含まれているオイル・ミストを放電によって荷電して分離する装置を出願した（特許文献１）。
【０００８】
当該特許文献１に示されている発明は、図１および図２に示す如き構造をそなえている。
【０００９】
図中の符号１０はオイル・ミスト捕集装置、１１はブローバイガス導入管、１２は連結管、１３はオイル・ドレイン管、１４はガス供給筒状空間、２０は放電室、２１は捕集極、２２は放電電極である針電極、２３は有底ブリーザ・ケース、２３ａは有底ブリーザ・ケースの円筒状部、２４はブリーザ・ケース蓋、２５は電源部、２６は電源部密閉用蓋、２７は底部空間、２８はブローバイガス収容空間、２９は捕集極上部固定部材、３０は捕集極下部固定部材、３０ａは円筒状部、３１は針電極上部固定部材、３２は針電極下部固定部材、３３は金網状のフィルタ、３４はスプリング、３５は逆止弁、３６は調圧弁、３７は逆止弁を表している。また３８は捕集極給電刷子を表している。
【００１０】
オイル・ミスト捕集装置１０は、全体的にみて図示の場合には円筒状体に構成されている。そして、当該円筒状体の筒状中央部に、ブローバイガスを下方から上方に導くガス供給筒状空間１４が配置されている。
【００１１】
図２は１つの放電室についての原理的説明図である。図２では複数個存在する放電室の１つについて縦に切り開いた状態を表している。
【００１２】
図中の符号２０は放電室、２１はプラス電位を与えられる捕集極であって例えば円環状に形成されているもの、２２は放電電極を構成する針電極であって金属板を打抜いて多数の尖状突起２２ｃをもつものを示す。
【００１３】
言うまでもなく針電極２２は、例えば円環状の放電室２０内の空間の中央部に固定される。そして、放電室２０の外周壁筒を形成している捕集極２１にプラス電位が与えられ、針電極２２にマイナス電位が与えられ、放電室２０の内部空間にオイル・ミストを含んだブローバイガスが導かれる。
【００１４】
このような放電室２０内において、ブローバイガスに含まれていたオイル・ミストはマイナス電位に帯電されて捕集極２１の内側に付着する。当該捕集されたオイル・ミストはオイル滴となって下方に落下する。
【００１５】
特願２００３−１６４５５０に開示されるものにおいては、図１や図２に示される如く、エンジン１のクランク・ケース３内のブローバイガスを導入するブローバイガス導入管１１と、エンジン１の吸気管に連結される連結管１２と、エンジン１のクランク・ケース３に連結されるオイル・ドレイン管１３とをそなえ、
前記ブローバイガス導入管１１を介して導入されたブローバイガスに含まれるオイル・ミストを捕集してオイルを分離し、当該分離したオイルを前記エンジン１のクランク・ケース３に返却するオイル・ミスト捕集装置１０が、
外壁を構成する有底のブリーザ・ケース２３と、当該有底のブリーザ・ケース２３を覆いかつ内部空間に電源部２５を収容するブリーザ・ケース蓋２４とを有する筒状に構成され、
当該オイル・ミスト捕集装置１０の筒状中央部に形成されて、前記ブローバイガス導入管１１から導入されたブローバイガスを、当該オイル・ミスト捕集装置２０の上部方向に供給するガス供給筒状空間１４と、
当該ガス供給筒状空間１４の外周に沿うように並べて、複数個配置された筒状放電室群２０，２０…と、
前記ガス供給筒状空間１４の上部を覆いかつ並べて前記複数個配置された筒状放電室群２０，２０…の上部を覆い、当該ガス供給筒状空間１４と当該筒状放電室群２０，２０…とに対して前記電源部２５を分離する電源部密閉用蓋２６と、
複数個配置されている前記筒状放電室２０，２０…の夫々の外周壁筒を構成する捕集極２１と、
当該夫々の筒状放電室２０，２０…の中心軸位置に配置される放電電極２２と、
当該夫々の筒状放電室２０，２０…において分離されたオイルを受入れかつ前記オイル・ドレイン管１３に連結される有底のブリーザ・ケース２３の内部底部空間２７と、
をそなえ、
前記電源部密閉用蓋２６が前記複数個配置されている前記筒状放電室２０，２０…における前記捕集極２１と前記放電電極２２とを、機械的に支持し、
かつ、前記筒状放電室２０，２０…内を通ってオイルを分離された気体が前記連結管１２を介して前記吸気管６に導かれる構成となっている。
【特許文献１】特願２００３−１６４５５０
【発明の開示】
【発明が解決しようとする課題】
【００１６】
本願出願人が出願した特許文献１として提示した特願２００３−１６４５５０記載のオイル・ミスト捕集装置においてオイル・ミスト捕集を続けている間に、次のことが判ってきた。
【００１７】
即ち、図３に示す如く、筒状放電室内における放電電極２２と対向している所の捕集極２１の内部壁面上に、捕集極２１の内部底面に捕集されたオイル・ミストが流れ落ちる前に局部的（特に尖状突起２２ｃに対向する部分）に焼付いて多数の山状の盛り上がり（図３に示す符号５０）を生じることが判った。当該夫々の盛り上がりを本願明細書において焼付き部あるいは盛り上がり焼付き部と称している。
【００１８】
当該焼付き部５０の先端は当該焼付き部の底部にくらべて、より強く焼けこげた状態となっていて、当該焼付き部５０が導電性をもって、前記捕集極２１の内部壁面に、多数の突出した、いわばいぼ状の導電体を被着させたような状態となる。
【００１９】
この焼付き部５０が発生すると、捕集極２１と放電電極２２との間隔距離が小となり、ブローバイガス中の異物の存在と相俟って、捕集極２１と放電電極２２との間の放電が火花放電に移し、放電室内の電位傾度が小となってブローバイガスに含まれているオイル・ミストを帯電せしめる働きが大幅に低下することが判った。
【００２０】
本発明は、捕集極の内壁に特に捕集極と放電電極との放電間隔の最短距離近傍における当該捕集極の内壁に発生する焼付き部が発生しにくくする所の焼付き部発生防止手段を持つようにすることを目的としている。
【課題を解決するための手段】
【００２１】
本発明の一実施例オイル・ミスト捕集装置は、前述の特願２００３−１６４５５０に開示したオイル・ミスト捕集装置の構造と実質的に同じ構造をそなえている。
【００２２】
本発明においては、図１に示した如きオイル・ミスト捕集装置に、焼付き部発生防止手段を持たせるようにしている。
【００２３】
図４は焼付き部発生防止手段の一実施例を示す。なお、図４は筒状放電室２０の一部を縦方向に切り開いて示した状態を表している。図中の符号２１は捕集極、２２は放電電極、２２ｃは尖状突起、４９−１および４９−２は夫々調振材を表している。
【００２４】
図４においては、捕集極２１の上端部および／または下端部に調振材４９−ｉを取り付け、その上で図１に示す捕集極上部固定部材２９および／または捕集極下部固定部材３０に係合される。なお、図１に示す所の捕集極上部固定部材２９および捕集極下部固定部材３０のままでは、図４に示す調振材４９−１や４９−２を取り付けた構造と対応しないが、図１に示した夫々の固定部材２９および／または３０が修正の上（図示していないが）、図４に示す構造を固定するようにされていることは言うまでもない。
【００２５】
筒状放電室２０を上から下に向かって流れてくるブローバイガスに前述の如くオイル・ミストが含まれているが、当該オイル・ミストは放電電極２２と捕集極２１との間で帯電され、帯電された当該オイル・ミストは捕集極２１の内壁に吸着され被着され、次いで当該内壁をつたって下方に滴下してゆく。
【００２６】
この間に、図４に示す構成においては、調振材４９−ｉがもうけられていることから、何らかの震動が捕集極２１の近傍に伝わった際に、捕集極２１が調振材４９−ｉを介して震動し、内壁に被着しているオイル・ミストがいわば強制的に内壁にそって流下するようにされる。
【００２７】
当該調振材４９−ｉとしては、基本的にはゴムなどの弾性材を用いるが、所定の振動数帯の震動を主として伝達するようなフィルタ機能をもつものであってもよい。また、ピエゾ素子を貼り付けて、電気的に強制振動させるようにしたものであってもよい。
【００２８】
図４に示す構成の場合、捕集極２１の内壁に被着されたオイル・ミストは、強制的にかつ早期に、捕集極２１の内壁にそって流下せしめられる。このために、内壁に被着されたオイル・ミストが放電によって焼付いて、前述の焼付き部５０が発生する頻度が少なくなる。
【発明の効果】
【００２９】
本発明においては、図１に示した如きオイル・ミスト捕集装置において、焼付き部発生防止手段を持つようにしたために、放電電極と捕集極との間の放電間隔距離が小さい範囲およびその近傍において、放電状態が非所望に火花放電に移行することが少なくなる。
【００３０】
また火花放電によって顕著になる捕集オイルの焼き付きの結果生ずる煤状の物質の生成を抑制することができる。更に煤状の物質が生じても振動によって下部に落下し、捕集極に堆積することがない。
【発明を実施するための最良の形態】
【００３１】
前述の如く、本発明のオイル・ミスト捕集装置の一実施例全体構成は、図１に示すものと実質的に同じ構成をそなえている。
【００３２】
図１において、図中の符号１０はオイル・ミスト捕集装置、１１はブローバイガス導入管、１２は連結管、１３はオイル・ドレイン管、１４はガス供給筒状空間、２０は放電室、２１は捕集極、２２は放電電極である針電極、２３は有底ブリーザ・ケース、２３ａは有底ブリーザ・ケースの円筒状部、２４はブリーザ・ケース蓋、２５は電源部、２６は電源部密閉用蓋、２７は底部空間、２８はブローバイガス収容空間、２９は捕集極上部固定部材、３０は捕集極下部固定部材、３０ａは円筒状部、３１は針電極上部固定部材、３２は針電極下部固定部材、３３は金網状のフィルタ、３４はスプリング、３５は逆止弁、３６は調圧弁、３７は逆止弁を表している。また３８は捕集極給電刷子を表している。
【００３３】
オイル・ミスト捕集装置１０は、全体的にみて図示の場合には円筒状体に構成されている。そして、当該円筒状体の筒状中央部に、ブローバイガスを下方から上方に導くガス供給筒状空間１４が配置されている。
【００３４】
そして、図２を参照して説明した如く、筒状放電室２０は捕集極２１と放電電極（針電極）２２とをもっており、  捕集極２１（プラス側）と針電極２２（マイナス側）との間には数ｋｖの高電圧を印加して、両電極間でグロー放電に匹敵する放電（コロナ放電状態から更に大気圧の下でのグロー放電に近い放電状態に進めて──以下同様）を生じさせ、両極間に連続して数１００μＡの電流を流すことにより、放電室２０を通過するブローバイガスに含まれるオイル・ミストは負に帯電されて捕集極に集まる。
【００３５】
ガス供給筒状空間１４の外周に沿うように、図示実施例の場合には、６個の筒状放電室２０が並べられて配置され、筒状放電室群を形成している。個々の筒状放電室２０は、円筒形状をしており、外周壁筒が金属（例えばステンレス）性の捕集極２１とされ、筒状放電室２０の中心軸位置に、尖状突起をもつ針電極２２が配置されている。
【００３６】
ガス供給筒状空間１４の上部と６個並んでいる筒状放電室２０の上部とを覆い、かつ電源部２５とを分離する形で、電源部密閉用蓋２６が配置される。そして当該電源部密閉用蓋２６の内周面に配置されている捕集極上部固定部材２９と一緒になって、ガス供給筒状空間１４内を立ちのぼってきたブローバイガスが前述の６個の夫々の筒状放電室２０の上部から当該各筒状放電室２０に導かれる。
【００３７】
電源部密閉用蓋２６の内周面に対して、図５に示す如き形状をもつ捕集極上部固定部材２９がはめ込まれる。図５（Ａ）は上面図、図５（Ｂ）は断面図、図５（Ｃ）は下面図を表している。
【００３８】
捕集極上部固定部材２９においては、中心部に、前述のガス供給筒状空間１４の上部開口に対応する大きさの開口２９ａがもうけられ、当該開口２９ａの周囲の板状部に６個の小開口２９ｂがあけられている。
【００３９】
なお当該６個の小開口２９ｂは夫々、捕集極２１の上部開口部と対応するようにされる。
【００４０】
また前述の電源部密閉用蓋２６には捕集極給電刷子３８が一体に成形され、図１に示す如く、当該捕集極給電刷子３８が捕集極２１の上部外周面に接触し、捕集極２１にプラス電位が印加される。
【００４１】
説明が前後したが、オイル・ミスト捕集装置１０は、椀形の有底ブリーザ・ケース２３をそなえ、当該有底ブリーザ・ケース２３の上端開口部に、カップ状形状をもつブリーザ・ケース蓋２４の下端開口部が嵌合される。ブリーザ・ケース蓋２４の内部空間に、図１に示す電源部２５が存在することになる。
【００４２】
前述のガス供給筒状空間１４の下端開口部には、図６に示す捕集極下部固定部材３０が嵌合されている。図６（Ａ）は上面図、図６（Ｂ）は断面図、図６（Ｃ）は下面図を表している。
【００４３】
捕集極下部固定部材３０の中央部に円筒状部３０ａが形成されていて、前述のガス供給筒状空間１４に嵌合される。
【００４４】
オイル・ミスト捕集装置１０における前記ブリーザ・ケース２３の中心部に、前記捕集極下部固定部材３０における円筒状部３０ａと嵌合する円筒状部２３ａが存在（図１参照）する。当該円筒状部２３ａの外周に、当該円筒状部２３ａを包むように、ブローバイガス収容空間２８が形成される。なお、当該ブローバイガス収容空間２８の外部上面に、図１に示す如く、針電極下部固定部材３２が載置される。
【００４５】
図１に示す如く、ブローバイガス収容空間２８に導かれたブローバイガスは、当該収容空間２８の底面に穿たれている環状の孔を通って、フィルタ３３内の隙間を通り抜け、前述のガス供給筒状空間１４に導かれる。そして、当該ブローバイガスはガス供給筒状空間１４の上部開口から、６個の筒状放電室２０に導かれる。
【００４６】
６個の筒状放電室２０の各室内において、針電極２２の尖状突起２２ｃの所で、放電が生じ、ブローバイガス中に含まれるオイル・ミストがマイナス電位に帯電され、捕集極２１に付着される。当該付着されたオイル・ミストは比較的大きいかたまりのオイル滴となり、捕集極２１の下端からオイル滴として滴下する。
【００４７】
当該滴下したオイル滴は、図１図示の逆止弁３７を通って、底部空間２７に貯り、逆止弁３５を通って、エンジンのクランク・ケース３内に戻される。
【実施例１】
【００４８】
本発明における焼付き部発生防止手段の第１の実施例は前述の図４に関連して説明した構成をもっている。
【実施例２】
【００４９】
本発明における焼付き部発生防止手段の第２の実施例は図７に示されている。図７においても、筒状放電室２０を縦方向に切り開いた状態のものとして示されている。図中の符号は図４に対応している。
【００５０】
図７においては、筒状放電室２０内において、放電電極２２が筒状放電室２０を構成する筒状部の上部にのみ存在するようにされている。したがって、筒状放電室２０の上半分がオイル・ミストを帯電させる放電部２０ａを構成し、筒状放電室２０の下半分が帯電されたオイル・ミストを捕集極２１に吸引させて捕集する捕集部２０ｂを構成している。
【００５１】
オイル・ミストを含むブローバイガスは図４における上部から下方に向かって流動しており、このために放電部２０ａにおいて帯電されたオイル・ミストは上記の流動にそって下方に流されつつ主として捕集部２０ｂの部分で捕集極２１の内部表面に吸引被着されることになる。勿論、捕集部２０ｂにおいて捕集極２１の内部表面に吸引被着されたオイル・ミストは当該表面をつたって滴下する。
【００５２】
したがって、放電部２０ａの部分で捕集極２１の内部表面に吸引被着されるオイル・ミストの量は少なく、前述の盛り上がった焼付き部５０が発生する頻度が小さくなる。
【００５３】
なお、図７の構成の場合に、放電電極２２の下端が支持されていないために、いわば不安定になることが生じかねないが、放電電極２２自体を十分に剛体のものとしたり、図示の放電電極２２の下端に、図示しない絶縁性の棒状体を取り付けて当該棒状体を支持したりすることができる。
【実施例３】
【００５４】
本発明における焼付き部発生防止手段の第３の実施例は図８に示されている。図８においても、筒状放電室２０を縦方向に切り開いた状態のものとして示されている。図中の符号は図４に対応している。
【００５５】
図８においては、放電電極２２に関して、尖状突起２２ｃが、放電部２０ａの箇所にのみもうけられており、捕集部２０ｂの箇所にはもうけられていない。
【００５６】
図８に示す構成の場合には、ブローバイガス中に含まれているオイル・ミストは、コロナ放電が発生し易い尖状突起２２ｃの存在する放電部２０ａの場所で、主として帯電され、ブローバイガスの流れにそって流下してゆき、捕集部２０ｂの場所で捕集極２１の内部表面により多く吸引被着される。このために、放電部２０ａの場所での捕集極２１の内部表面に、非所望な焼付き部５０が発生する可能性が少ないものとなる。
【実施例４】
【００５７】
本発明における焼付き部発生防止手段の第４の実施例は図９に示されている。図９においても、筒状放電室２０を縦方向に切り開いた状態のものとして示されている。図中の符号は図４に対応している。
【００５８】
図９においては、捕集極２１に関して、当該捕集極２１の上部側の内径が、下部側の内径にくらべて小にされている。このために、放電電極２２と捕集極２１との間隔が、上部の側で小となることから、放電は当該上部の側で強く発生し下部の側で弱く発生する（放電発生頻度や放電電流を含めて）。
【００５９】
前述のように、筒状放電室２０内においては、ブローバイガスが上部側から下部側に向かって流れており、かつ上部側での流速が下部側での流速にくらべて大きい。この流れにそって帯電されたオイル・ミストが下方に流れ、帯電されたオイル・ミストは、捕集極２１における下部側に十分により多く被着されるようになり、オイル・ミストが焼付いて前述の焼付き部５０が発生する頻度が少なくなる。
【実施例５】
【００６０】
本発明における焼付き部発生防止手段の第５の実施例は図１０に示されている。図１０においても、筒状放電室２０を縦方向に切り開いた状態のものとして示されている。図中の符号は図４に対応している。
【００６１】
図１０の場合も、図９の場合と同様に、捕集極２１の上部側の内径を下部側の内径にくらべて小にされている。そして、併せて放電電極２２が放電室２０の上部側にのみ即ち放電部２０ａにのみ存在するようにされている。
【００６２】
図１０の場合においては、図１０の構成が図９の場合における図示「放電弱」の部分で「放電なし」となった場合に相当し、焼付き部発生防止手段として働くことは言うまでもない。
【実施例６】
【００６３】
本発明における焼付き部発生防止手段の第６の実施例は図１１に示されている。図１１においても、筒状放電室２０を縦方向に切り開いた状態のものとして示されている。図中の符号は図４に対応している。また、２１ａ，２１ｂは夫々捕集極を表している。また２１ｃは絶縁体である。
【００６４】
図１１においては、捕集極２１を絶縁体を介して、上部捕集極２１ａと下部捕集極２１ｂとに分けている。そして上部捕集極２１ａと放電電極２２との間に印加する電圧の値と、下部捕集極２１ｂと放電電極２２との間に印加する電圧の値とを異ならしめている。
【００６５】
図１１の構成における焼付き部発生防止手段としての働きは、前記図９の構成の場合と基本的には同じである。
【実施例７】
【００６６】
本発明における焼付き部発生防止手段の第７の実施例は図１２に示されている。図１２においても、筒状放電室２０を縦方向に切り開いた状態のものとして示されている。図中の符号は図４に対応し、５１は多孔質絶縁体（フィルタ）を表している。
【００６７】
図１２に示す構成においては、帯電されたオイル・ミストの大部分は多孔質絶縁体５１の孔を通過して、捕集極２１に吸引被着される。その結果として、前述の非所望な焼付き部５０が発生しようとするが、放電は多孔質絶縁体５１の多数の孔を介して行われることから、捕集極２１の内壁に被着されているオイル・ミストの特定のものとの間で集中的に発生することがなくなる。換言すれば、放電が分散して発生することとなり、捕集極２１の内壁に被着されるオイル・ミストが焼付いて盛り上ってくることが少なくなる。
【実施例８】
【００６８】
本発明における焼付き部発生防止手段の第８の実施例は図１３に示されている。図１３においても、筒状放電室２０を縦方向に切り開いた状態のものとして示されている。図中の符号は図４に対応し、５２はコーティング層を表している。
【００６９】
コーティング層５２としては、捕集極２１の内壁に吸引されたオイル・ミストが当該内壁に被着しにくくする表面処理を行って構成（例えば、テフロンコーティング、塗料の塗布、メッキ）される。
【実施例９】
【００７０】
本発明における焼付き部発生防止手段の第９の実施例は図１４に示されている。図１４において、符号１はエンジン、１０はオイル・ミスト捕集装置、１１はブローバイガス導入管、１２は連結管、１３はオイル・ドレイン管、５３は調振材を表している。
【００７１】
図１４においては、オイル・ミスト捕集装置１０全体が、アタッチメントを構成する調振材５３を介在させてエンジン１に直接的に取り付けられている。このように構成することによって、エンジン１の震動に伴って、調振材５３を介してオイル・ミスト捕集装置１０全体が震動する。その結果、捕集極２１の内壁に被着しているオイル・ミストがいわば強制的に内壁にそって流下するようになる。
【００７２】
当該調振材５３としては、基本的にはゴムなどの弾性材を用いるが、所定の振動数帯の震動を主として伝達するようなフィルタ機能をもつものであってもよい。
【００７３】
図１４に示す構成の場合、捕集極２１の内壁に被着されたオイル・ミストは、強制的にかつ早期に、捕集極２１の内壁にそって流下せしめられる。このために、内壁に被着されたオイル・ミストが放電によって焼付いて、前述の焼付き部５０が発生する頻度が少なくなる。
〔変形例〕
【００７４】
本発明における焼付き部発生防止手段の変形が図１５に示されている。図１５においても筒状放電室２０を縦方向に切り開いた状態のものとして示されている。図中の符号は図４に対応している。図１５に示すものは、図９に示すものの変形例である。
【００７５】
図１５においては、捕集極２１に関して、当該捕集極２１の上部側の内径が大で、下部側の内径が小となるようにされている。また併せて、放電電極２２は上部側にのみ、即ち放電部２０ａにのみ存在する。
【００７６】
図１５に示した構成においては、ブローバイガス中のオイル・ミストは、放電部２０ａの範囲で帯電され、ブローバイガスの下方への流れにそって下方に流れる。その際に、内径が小さくなっている捕集極２１の壁に被着される。捕集部２０ｂにおいて内径が小さくなっていて、帯電されたオイル・ミストが捕集極２１の壁面に被着されつつ壁にそって流れ落ちてゆくが、捕集部２０ｂにおいては放電電極２２が存在していないために、流れ落ちつつあるオイル・ミストと放電電極２２との間で放電が生じることがなく、焼付き部５０が発生する頻度が小さい。
〔火花放電への移行を軽減する電気的な手段〕
【００７７】
前述の放電室内における放電は、コロナ放電を主としているものであるが、当該放電が火花放電に移行することを防止するに当たっては、放電電極２２と捕集極２１との間に電源電圧を印加するに当たって、当該電源電圧に直列抵抗を接続するようにする。即ち、放電自体の（電圧）／（電流）で表す抵抗は負抵抗である。このことから、放電電流が一旦増加すると当該放電電流は一挙に極端なアーク放電などのような放電に移行する。このことを防止するために、前記放電電流が増加すると、放電間隙に直接印加される電圧が減少するように、前述の直列抵抗が接続される。本発明のような場合には、当該直列抵抗を十分に高い抵抗値とし、前記コロナ放電が火花放電に移行することが少なくなるように配慮されていることは言うまでもない。
【産業上の利用可能性】
【００７８】
以上説明した如く、本発明においては、ブローバイガスを放電室内に通してブローバイガスに含まれるオイル・ミストを帯電させた上で捕集極に吸引被着させるオイル・ミスト捕集装置において、捕集極の内壁に、捕集されたオイル・ミストが局部的に発生する盛り上がり焼付き部の発生を防止することができる。そして、この結果、放電室内での放電が非所望に火花放電に移行して、オイル・ミスト捕集機能が低下することが防止される。
【図面の簡単な説明】
【００７９】
【図１】特願２００３−１６４５５０開示のオイル・ミスト捕集装置の構成例であり、かつ本発明にいうオイル・ミスト捕集装置の実施例でもあるオイル・ミスト捕集装置を示す。
【図２】放電室についての原理説明図である。
【図３】放電室に発生する焼付き部を説明する図である。
【図４】焼付き部発生防止手段の一実施例（第１の実施例）を示す。
【図５】捕集極上部固定部材を説明する図である。
【図６】捕集極下部固定部材を説明する図である。
【図７】焼付き部発生防止手段の第２の実施例を示す。
【図８】焼付き部発生防止手段の第３の実施例を示す。
【図９】焼付き部発生防止手段の第４の実施例を示す。
【図１０】焼付き部発生防止手段の第５の実施例を示す。
【図１１】焼付き部発生防止手段の第６の実施例を示す。
【図１２】焼付き部発生防止手段の第７の実施例を示す。
【図１３】焼付き部発生防止手段の第８の実施例を示す。
【図１４】焼付き部発生防止手段の第９の実施例を示す。
【図１５】焼付き部発生防止手段の変形例を示す。
【図１６】従来から存在するフィルタ使用のオイル・ミスト捕集装置の原理的構成を示す。
【符号の説明】
【００８０】
１：エンジン
２：シリンダ
３：クランク・ケース
４：ピストン
５：クランク軸
６：吸気管
７：吸気弁
８：排気管
９：排気弁
１０：オイル・ミスト捕集装置
１１：ブローバイガス導入管
１２：連結管
１３：オイル・ドレイン管
１４：ガス供給筒状空間
２０：放電室
２１：捕集極
２２：針電極
２３：有底ブリーザ・ケース
２４：ブリーザ・ケース蓋
２５：電源部
２６：電源部密閉用蓋
２７：底部空間
２８：ブローバイガス収容空間
２９：捕集極上部固定部材
３０：捕集極下部固定部材
３１：針電極上部固定部材
３２：針電極下部固定部材
３３：フィルタ
３８：捕集極給電刷子
４９：調振材
５０：焼付き部
５１：多孔質絶縁体
５２：コーティング層
【図１】
2005103357.tif 000003
【図２】
2005103357.tif 000004
【図３】
2005103357.tif 000005
【図４】
2005103357.tif 000006
【図５】
2005103357.tif 000007
【図６】
2005103357.tif 000008
【図７】
2005103357.tif 000009
【図８】
2005103357.tif 000010
【図９】
2005103357.tif 000011
【図１０】
2005103357.tif 000012
【図１１】
2005103357.tif 000013
【図１２】
2005103357.tif 000014
【図１３】
2005103357.tif 000015
【図１４】
2005103357.tif 000016
【図１５】
2005103357.tif 000017
【図１６】
2005103357.tif 000018